(57)【要約】【課題】高能力運転の機能を使用する際に、ユーザーの快適性を向上させた空気調和機を提供すること。【解決手段】本発明の空気調和機は、通常能力運転モードと、通常能力運転モードよりも圧縮機の回転数を増加させる高能力運転モードとを備えた空気調和機であって、室温と目標設定室温とに応じて圧縮機の回転数を変更する制御装置を備え、高能力運転モードの開始後の所定時間、室温が目標設定室温に到達しても圧縮機を停止させない第１禁止期間と、高能力運転モードから通常能力運転モードへの移行後の所定期間、室温が目標設定室温に到達しても圧縮機を停止させない第２禁止期間を設ける。【選択図】図３
2015055442.tif 000002
【特許請求の範囲】
【請求項１】
通常能力運転モードと、通常能力運転モードよりも圧縮機の回転数を増加させる高能力運転モードとを備えた空気調和機であって、室温と目標設定室温とに応じて圧縮機の回転数を変更する制御装置を備え、前記高能力運転モードの開始後の所定期間、前記室温が前記目標設定室温に到達しても圧縮機を停止させない第１禁止期間と、前記高能力運転モードから前記通常能力運転モードへの移行後の所定期間、前記室温が前記目標設定室温に到達しても圧縮機を停止させない第２禁止期間とが設けられたことを特徴とする空気調和機。
【請求項２】
前記第２禁止期間は、前記第１禁止期間より長いことを特徴とする請求項１に記載の空気調和機。
【請求項３】
前記高能力運転モードを行う時間を制限するタイマと、前記高能力運転モードの開始および解除を指示する操作手段とを備え、前記タイマにより前記高能力運転モードが解除された場合には、高能力運転モードでの目標設定室温から通常能力運転モードの目標設定室温へと段階的に変更し、前記操作手段により前記高能力運転モードが解除された場合には、高能力運転モードでの目標設定室温から通常能力運転モードの目標設定室温へ速やかに変更することを特徴とした請求項１に記載の空気調和機。
【請求項４】
前記高能力運転モードの開始時から所定期間は、除霜運転を禁止することを特徴とした請求項１に記載の空気調和機。
【発明の詳細な説明】
【技術分野】
【０００１】
本発明は、快適性を向上させる空気調和機に関する。
【背景技術】
【０００２】
従来の空気調和機には、冷房運転あるいは暖房運転等において、圧縮機の回転数や、ファンの回転数などを上昇させ、空気調和機の能力を向上させる高能力運転（いわゆるパワフル運転）を行うものがある（例えば、特許文献１参照）。
【０００３】
特許文献１においては、空気調和機の能力を一時的に上昇させ、所定時間経過後に通常の能力運転に復帰させる空気調和機が記載せれている。
【先行技術文献】
【特許文献】
【０００４】
【特許文献１】特開２００５−１３４０５０号公報
【発明の概要】
【発明が解決しようとする課題】
【０００５】
しかしながら、前記従来の技術では、通常の能力運転から高能力運転に移行する際や、高能力運転から通常の能力運転に移行する際に、急激に室温が変化するなどして、ユーザーによっては、不快に感じてしまうという課題を有していた。
【０００６】
本発明は、前記従来の課題を解決するもので、高能力運転の機能を有した空気調和機の快適性を向上させることを目的とする。
【課題を解決するための手段】
【０００７】
前記従来の課題を解決するために、本発明の空気調和機は、高能力運転モードの開始後の所定時間、室温が目標設定室温に到達しても圧縮機を停止させない第１禁止期間と、高能力運転モードから通常能力運転モードへの移行後の所定期間、室温が目標設定室温に到達しても圧縮機を停止させない第２禁止期間とを設けるにより、速やかに冷風感または温風感を確保するとともに、室温を安定させ、ユーザーの快適性を向上させることができる。
【発明の効果】
【０００８】
本発明は、高能力運転の機能を使用する際に、ユーザーの快適性を向上させた空気調和機を提供することができる。
【図面の簡単な説明】
【０００９】
【図１】本発明の実施の形態１における空気調和機の外観斜視図
【図２】同実施の形態１における空気調和機の冷凍サイクル構成概略図
【図３】同実施の形態１における冷房運転時の高能力運転モード移行時のフローチャート
【図４】同実施の形態１における冷房運転時の高能力運転モード解除時のフローチャート
【図５】同実施の形態１における暖房運転時の高能力運転モード移行時のフローチャート
【発明を実施するための形態】
【００１０】
第１の発明の空気調和機は、通常能力運転モードと、通常能力運転モードよりも圧縮機の回転数を増加させる高能力運転モードとを備えた空気調和機であって、室温と目標設定室温とに応じて圧縮機の回転数を変更する制御装置を備え、高能力運転モードの開始後の所定時間、室温が目標設定室温に到達しても圧縮機を停止させない第１禁止期間と、高能力運転モードから通常能力運転モードへの移行後の所定期間、室温が目標設定室温に到達しても圧縮機を停止させない第２禁止期間とを設けることにより、高能力運転モード開始後には、速やかに冷風感または温風感を確保し、それを維持させることができるとともに、高能力運転モードから通常能力運転モードへの移行後には、室温が目標設定室温に到達することで圧縮機が停止することなく、急激な室温変化を防止でき、ユーザーの快適性を向上させることができる。
【００１１】
第２の発明の空気調和機は、特に第１の発明において、第２禁止期間を第１禁止期間より長くすることにより、高能力運転モード開始後より、室温が目標設定室温に到達し圧縮機が停止しやすい通常能力運転モードへの復帰後に、圧縮機が停止することが防止でき、ユーザーの快適性を向上させることができる。
【００１２】
第３の発明の空気調和機は、特に第１の発明において、高能力運転モードを行う時間を制限するタイマと、高能力運転モードの開始および解除を指示する操作手段とを備え、タイマにより高能力運転モードが解除された場合には、高能力運転モードでの目標設定室温から通常能力運転モードの目標設定室温へと段階的に変更することにより、圧縮機の回転数が徐々に変化するので、急激な室温変化を防止でき、ユーザーの快適性を向上させることができる。また、操作手段により高能力運転モードが解除された場合には、高能力運転モードでの目標設定室温から通常能力運転モードの目標設定室温へ速やかに変更することにより、ユーザーの希望を速やかに反映することができ、ユーザーの快適性を向上させることができる。
【００１３】
第４の発明の空気調和機は、特に第１の発明において、高能力運転モードは暖房運転時にも行われ、高能力運転モードの開始時から所定期間は、除霜運転を禁止することにより、暖房運転を継続することができるため、温風を維持でき、ユーザーの快適性を向上させることができる。
【００１４】
以下、本発明の実施の形態について、図面を参照しながら説明する。なお、この実施の形態によって本発明が限定されるものではない。
【００１５】
（実施の形態１）
図１は本実施の形態１における室内機の外観斜視図および要部構成図、図２は空気調和機の冷凍サイクルの構成図である。
【００１６】
本実施の形態における空気調和機は、室内に設置される室内機１と、室外に設置される室外機２とを冷媒配管３で接続することによって構成されている。
【００１７】
室内機１には、室内空気と冷媒とが熱交換を行う室内熱交換器４と、室内熱交換器４での熱交換を促進し室内へ送風するための室内送風ファン５を備える。また、室内温度（室温）を検出する室内温度検出手段である温度センサ６を備える。
【００１８】
室外機２には、室外空気と冷媒とが熱交換を行う室外熱交換器７と、室外熱交換器７での熱交換を促進し送風する室外ファン８と、冷媒を圧縮し高温冷媒を吐出する圧縮機９と、冷媒の流路の順逆を切り換える四方弁１０と、冷媒を減圧する減圧装置１１を備える。
【００１９】
そして、冷房運転時には、圧縮機９、四方弁１０、室外熱交換器７、減圧装置１１、室
内熱交換器４、四方弁１０、圧縮機９の順に冷媒が流れるように冷凍サイクルが構成され、暖房運転時には四方弁１０を切り換えることによって冷媒の流路が逆となる。
【００２０】
また、室内機１の正面側には空調運転時に開き、空調運転停止時に閉まる正面パネル２０と、室内へ送風を行う吹き出し口２１と、吹き出し口２１からの風の風向を上下に変更させる上下羽根２２と、吹き出し口２１からの風の風向を左右に変更させる左右羽根（図示せず）とを備える。
【００２１】
また、室内機１へ運転指示を行うリモコン装置３０（本発明における操作手段）を備え、リモコン装置３０には運転情報やその他情報を表示する表示部３１と、設定の変更や指示を行う操作部３２とを備える。リモコン装置３０では、冷房運転や暖房運転の指示、基準室内設定温度（本発明における目標設定室温）を設定することができ、室内機１または室外機２に備えられた制御装置（図示せず）により、基準室内設定温度となるように圧縮機９、室内送風ファン５、室外ファン８の回転数や、減圧装置１１の減圧量が調整され、空調運転が実施される。
【００２２】
本実施の形態の空気調和機は、通常能力運転モードの他に、通常能力運転モードよりも圧縮機の回転数を増加させる高能力運転モードを備えている。そして、操作部３２は複数のボタンで構成されており、通常能力運転モードと高能力運転モードとの切り替えを指示するボタンを有している。
【００２３】
以上のように構成された空気調和機において、高能力運転の機能を使用する際に、ユーザーの快適性を向上させる制御について説明する。
【００２４】
図３は冷房運転時の高能力運転モード移行時のフローチャートである。
【００２５】
まずステップ４１では、通常の空調運転である通常能力運転モードでの運転が行われる。リモコン装置３０で基準室内設定温度を設定し、温度センサ６で検出する室温が、設定された基準室内設定室温となるように圧縮機９や減圧装置１１などの冷凍サイクル構成部品を制御することによって、空調運転の温度制御は行われている。
【００２６】
次に、ステップ４２において、リモコン装置３０から高能力運転モード（図中では「もっと運転」と表記）を指示するボタン（もっと運転ボタン）が押されると、ステップ４３に進み、高能力運転モードを開始させる。一方、リモコン装置３０から高能力運転モードが指示されなければ、ステップ４１に戻り、通常の空調運転を継続する。
【００２７】
ステップ４３では、高能力運転モードを開始すると同時に、高能力運転モードの継続時間を制限しているタイマであるもっと運転期間タイマと、高能力運転モードの開始後から所定時間、室温が基準室内設定温度に到達しても圧縮機９を停止させないための第１禁止期間のタイマのカウントを開始させる。
【００２８】
ステップ４４では、温度センサ６が検出した室温が基準室内設定温度に達しても、圧縮機９が停止することを禁止する。なお、ステップ４４での圧縮機９の停止禁止は、圧縮機９や空気調和機の信頼性や安全性を確保するための保護制御により、圧縮機９が停止することを妨げるものではない。
【００２９】
ステップ４５では、リモコン装置３０での設定によらず、基準室内設定温度が最小（例えば、１６℃）に設定される。基準室内設定温度が最小に設定されることで、ステップ４６に進み、一時的に室内送風ファン５の回転数を上げるように制御するとともに、後述するステップ４９で圧縮機９の回転数を上げるように制御することによって、空気調和機の
処理能力を向上させた高能力運転モードを行っている。
【００３０】
ステップ４７では、ステップ４４でカウントを開始した第１禁止期間タイマが所定期間（第１禁止期間、例えば、１０分）を経過しているか否かを判定する。経過してれば、ステップ４８にて、再び、温度センサ６が検出した室温が基準室内設定温度に達した場合には、圧縮機９が停止することを許可する。一方、経過していなければ、ステップ４９に進む。
【００３１】
ステップ４９では、温度センサ６が検出した室温と基準室内設定温度とに応じて、圧縮機９の回転数が変更される。より具体的には、基準室内設定温度と温度センサ６が検出した室温の差が大きければ、圧縮機９の回転数を大きくし、差が小さくなるほど、圧縮機９の回転数を小さくする。さらに、室温が基準室内設定温度以下となれば、圧縮機９を停止する。
【００３２】
つまり、高能力運転モードに移行した当初は、基準室内設定温度が最小とされるために、基準室内設定温度と室温の差が大きくなり、圧縮機９の回転数が大きくなるため、空気調和機の冷房能力が向上する。その後、室温が下がってくれば、基準室内設定温度と室温の差が小さくなり、それに応じて圧縮機９の回転数を小さくしていく。そして、室温が基準室内設定温度以下となれば、圧縮機９を停止させるものであるが、本実施の形態では、高能力運転モードの開始後、第１禁止期間経過するまでは、圧縮機９が停止することを禁止しているので、高能力運転モード開始後、所定期間には、圧縮機９が停止することがなく、速やかに冷風感を確保し、それを維持させることができる。
【００３３】
ステップ５０において、高能力運転モードの運転中に、リモコン装置３０により高能力運転モードが解除された場合には、ステップ５１に進み、処理Ａを行う。
【００３４】
また、ステップ５０において、リモコン装置３０により高能力運転モードが解除されなかった場合でも、ステップ５２において、高能力運転モードの継続時間を制限しているタイマがあらかじめ設定された所定期間（もっと運転期間、例えば、３０分）を経過した場合には、ステップ５３に進み、処理Ｂを行う。一方、経過していなければ、ステップ４７に戻り、高能力運転モードでの運転を継続する。
【００３５】
ステップ５１で行われる処理Ａと、ステップ５３で行われる処理Ｂについて、図４に示す、冷房運転時の高能力運転モード解除時のフローチャートを用いて説明する。
【００３６】
まず、処理Ａについて説明する。ステップ６０では、再び通常能力運転モードでの空調運転が開始される。同時に、通常能力運転モードへの移行後から所定時間、室温が基準室内設定温度に到達しても圧縮機９を停止させないための第２禁止期間のタイマのカウントを開始させる。
【００３７】
ステップ６１では、温度センサ６が検出した室温が基準室内設定温度に達しても、圧縮機９が停止することを禁止する。なお、ステップ６１での圧縮機９の停止禁止も、ステップ４４と同様に、保護制御により圧縮機９が停止することを妨げるものではない。
【００３８】
ステップ６２ａでは、基準室内設定温度をリモコン装置３０での設定温度に速やかに戻す。基準室内設定温度が高能力運転モード移行前の状態に戻されることで、ステップ６３に進み、室内送風ファン５の回転数を下げるように制御するとともに、後述するステップ６６で圧縮機９の回転数も下げるように制御することによって、空気調和機の処理能力を向上させた高能力運転モードに移行する。
【００３９】
このように、リモコン装置３０により高能力運転モードが解除された場合には、高能力運転モードでの基準室内設定温度から通常能力運転モードでの基準室内設定温度へ速やかに変更することにより、ユーザーの希望を速やかに反映することができる。なお、ステップ４７で第１禁止期間タイマが所定期間（第１禁止期間）を経過しているか否かによらず、リモコン装置３０により高能力運転モードが解除された場合には、速やかに変更されるものである。
【００４０】
ステップ６４では、ステップ６０でカウントを開始した第２禁止期間タイマが所定期間（第２禁止期間、例えば、１５分）を経過しているか否かを判定する。経過してれば、ステップ６５にて、再び、温度センサ６が検出した室温が基準室内設定温度に達した場合には、圧縮機９が停止することを許可する。一方、経過していなければ、ステップ６６に進む。
【００４１】
ステップ６６では、ステップ４９と同様に、温度センサ６が検出した室温と基準室内設定温度とに応じて、圧縮機９の回転数が変更される。
【００４２】
つまり、通常能力運転モードに復帰した当初は、基準室内設定温度と室温の差が小さく、圧縮機９の回転数が小さくなり、空気調和機の冷房能力が低下する。そして、室温が基準室内設定温度以下となれば、圧縮機９を停止させるものであるが、本実施の形態では、高能力運転モードから通常能力運転モードへの移行後、第２禁止期間経過するまでは、圧縮機９が停止することを禁止しているので、高能力運転モードから通常能力運転モードへの移行後には、室温が基準室内設定温度に到達することで圧縮機が停止することなく、急激な室温変化を防止することができる。
【００４３】
また、第１禁止期間と第２禁止期間の時間は任意であるが、第２禁止期間を第１禁止期間よりも長くすることにより、高能力運転モード開始後より、室温が基準室内設定温度に到達することで圧縮機９が停止しやすい通常能力運転モードへの復帰後に、圧縮機９が停止することを防止することができる。
【００４４】
その後、ステップ５２において、温度センサ６が検出した室温が基準室内設定温度に到達するまで、ステップ６４からの動作を繰り返し、空調運転を続ける。
【００４５】
次に、処理Ｂについて説明する。処理Ｂの処理Ａと異なる点は、ステップ６０ｂで行われる動作であるので、この点について説明する。高能力運転モードの継続時間が所定期間を経過した場合には、ステップ６０ｂにおいて、基準室内設定温度は、高能力運転モードでの基準室内設定温度から通常能力運転モードでの基準室内設定温度へと段階的に変更する。これにより、ステップ６７で圧縮機９の回転数が徐々に変化するため、急激な室温変化を防止することができる。
【００４６】
なお、基準室内設定温度に到達する前に第２禁止期間が終了したとしても（ステップ６４）、基準室内設定温度に到達するまで、基準室内設定温度は段階的に変更される。
【００４７】
このような高能力運転モードは、暖房運転時においても同様に行われる。図５は暖房運転時の高能力運転モード移行時のフローチャートである。
【００４８】
暖房運転時においては、冷房運転時の制御に加え、高能力運転モードの開始時から所定期間は、除霜運転を禁止する制御を設ける。以下、冷房運転時の動作と異なるステップのみ説明する。
【００４９】
ステップ７３において、高能力運転モードが開始すると、高能力運転モードの継続時間
を制限しているタイマと第１禁止期間のタイマ、そして除霜運転禁止期間のタイマのカウントを開始させる。
【００５０】
ステップ７４では、リモコン装置３０での設定によらず、基準室内設定温度が最大（例えば、３０℃）に設定される。基準室内設定温度が最大に設定されることで、ステップ７５に進み、一時的に室内送風ファン５の回転数を上げるように制御するとともに、ステップ８１で圧縮機９の回転数を上げるように制御することによって、空気調和機の処理能力を向上させた高能力運転モードを行っている。
【００５１】
そして、本実施の形態では、高能力運転モードの開始後、第１禁止期間経過するまでは、圧縮機９が停止することを禁止しているので、高能力運転モード開始後、所定期間には、圧縮機９が停止することがなく、速やかに温風感を確保し、それを維持させることができる。
【００５２】
ステップ７９では、ステップ７３でカウントを開始した除霜運転禁止期間タイマが所定期間（除霜運転禁止期間、例えば、１０分）を経過しているか否かを判定する。経過してれば、ステップ８０にて、再び、除霜運転が行われることを許可する。一方、経過していなければ、ステップ８１に進む。
【００５３】
ステップ８３では、室外温度を検出する室外温度検出手段である温度センサ（図示せず）や、室外熱交換器７の温度を検出する室外熱交換器温度検出手段である温度センサ（図示せず）の検出温度が所定の除霜条件を満足しているかを判定し、満足していれば、除霜運転が行われる。
【００５４】
しかし、本実施の形態では、高能力運転モードの開始時から所定期間は、除霜運転を禁止することにより、暖房運転を継続することができるため、温風を維持でき、ユーザーの快適性を向上させることができる。
【００５５】
なお、以上説明した実施の形態において、リモコン装置３０により高能力運転モードが解除された場合に行われる処理Ａと、高能力運転モードの継続時間が所定期間を経過した場合に行われる処理Ｂとで、第２禁止期間の長さを異なるものとしても良い。また、冷房運転と、暖房運転とで、第１禁止期間、第２禁止期間を異なるものとしても良い。
【００５６】
さらに、第１禁止期間に圧縮機９を停止する条件が成立した場合のみ、第２禁止期間を設けるものとしてもよい。また、第１禁止期間中に圧縮機９が停止する条件が成立するまでの時間に応じて、第２禁止期間の長さを変更してもよい。例えば、第１禁止期間中に圧縮機９が停止する条件が成立するまでの時間が短ければ、第２禁止期間を短く設定し、第２禁止期間中に圧縮機９が停止する条件が成立するまでの時間が長ければ、第２禁止期間を長く設定してもよい。
【００５７】
これによれば、高能力運転モードに移行した際に、室温と基準室内設定温度との差が小さく、圧縮機９が停止しやすい状態であれば、通常能力運転モードに復帰した際にも、圧縮機９が停止しやすい状態となるが、第２禁止期間の長さを変更することにより、通常能力運転モードに復帰した際に、圧縮機９が停止することをより防止できる。
【００５８】
以上のように、本実施の形態の空気調和機は、高能力運転の機能を使用する際に、ユーザーの快適性を向上させることができる。
【産業上の利用可能性】
【００５９】
以上のように本発明は、高能力運転の機能を有する空気調和機に適用可能である。
【符号の説明】
【００６０】
１  室内機
２  室外機
３  冷媒配管
４  室内熱交換器
５  室内送風ファン
６  温度センサ
７  室外熱交換器
８  室外ファン
９  圧縮機
１０  四方弁
１１  減圧装置
２０  正面パネル
２１  吹き出し口
２２  上下羽根
３０  リモコン装置
３１  表示部
３２  操作部
【図１】
2015055442.tif 000003
【図２】
2015055442.tif 000004
【図３】
2015055442.tif 000005
【図４】
2015055442.tif 000006
【図５】
2015055442.tif 000007